(57)【要約】【課題】ストッパ部材を紛失するおそれのない容器用吐出器を提供することである。【解決手段】容器１２の口部１２ａに装着される装着キャップ１１と、該装着キャップ１１に取り付けられたポンプＰとを備え、該ポンプＰのヘッド部１６を装着キャップ１１に向けて押し下げることによりポンプＰが吐出動作する容器用吐出器１０であって、ヘッド部１６に連結された支持部材２４に、ヘッド部１６に対して接近・離反する方向に相対移動自在にストッパ部材２３を装着し、支持部材２４に、ストッパ部材２３の移動方向に沿って並ぶ複数の係合面２８ａを備えた係合部２６を設け、ストッパ部材２３に、係合面２８ａに係合して、ストッパ部材２３のヘッド部１６に接近する方向への移動を規制する係止爪２７を設ける。【選択図】図１
2014129129.tif 000002
【特許請求の範囲】
【請求項１】
容器の口部に装着される装着部と、該装着部に取り付けられたポンプとを備え、該ポンプのヘッド部を前記装着部に向けて押し下げることにより前記ポンプが吐出動作する容器用吐出器であって、
前記ヘッド部に連結された支持部材に、該ヘッド部に対して接近・離反する方向に相対移動自在にストッパ部材を装着するとともに、
前記支持部材に、前記ストッパ部材の移動方向に沿って並ぶ複数の係合面を備えた係合部を設け、
前記ストッパ部材に、前記係合面に係合して、前記ストッパ部材の前記ヘッド部に接近する方向への移動を規制する係止爪を設けたことを特徴とする容器用吐出器。
【請求項２】
請求項１記載の容器用吐出器において、前記支持部材と前記ストッパとを円筒状に形成し、該支持部材の外側に前記ストッパ部材を摺動自在に装着することを特徴とする容器用吐出器。
【請求項３】
請求項１または２記載の容器用吐出器において、前記係合部と前記係止爪とを、前記ストッパ部材の前記ヘッド部に接近する方向への移動を規制し、該ストッパ部材の前記ヘッド部から離反する方向への移動は許容するラチェットに構成することを特徴とする容器用吐出器。
【請求項４】
請求項１〜３のいずれか１項に記載の容器用吐出器において、前記ヘッド部に該ヘッド部の移動方向に対して横向きに突出する吐出ノズルを設け、前記係合部を、前記支持部材の、前記吐出ノズルの突出方向とは反対側を向く部分に配置することを特徴とする容器用吐出器。
【発明の詳細な説明】
【技術分野】
【０００１】
本発明は、容器の口部に装着され、ヘッド部の押し下げ操作により容器に収容された内容物を吐出する容器用吐出器に関する。
【背景技術】
【０００２】
従来から、この種の容器用吐出器において、流通段階等においてヘッド部が不意に押されて容器内の内容物が誤って漏れ出すことを防止するために、ヘッド部と装着部との間にストッパ部材を装着し、ヘッド部の押し下げ操作をストッパ部材により規制するようにした構成のものが知られている（例えば、特許文献１参照）。
【先行技術文献】
【特許文献】
【０００３】
【特許文献１】特開２０１２−１５３４０９号公報
【発明の概要】
【発明が解決しようとする課題】
【０００４】
しかしながら、特許文献１に記載される従来の容器用吐出器では、ストッパ部材は容器や容器用吐出器とは別体に形成され、容器用吐出器に対して着脱式とされている。そのため、使用時に容器用吐出器からストッパ部材を取り外した後、このストッパ部材を紛失するおそれがあった。
【０００５】
本発明の目的とするところは、ストッパ部材を紛失するおそれのない容器用吐出器を提供することにある。
【課題を解決するための手段】
【０００６】
本発明の容器用吐出器は、容器の口部に装着される装着部と、該装着部に取り付けられたポンプとを備え、該ポンプのヘッド部を前記装着部に向けて押し下げることにより前記ポンプが吐出動作する容器用吐出器であって、前記ヘッド部に連結された支持部材に、該ヘッド部に対して接近・離反する方向に相対移動自在にストッパ部材を装着するとともに、前記支持部材に、前記ストッパ部材の移動方向に沿って並ぶ複数の係合面を備えた係合部を設け、前記ストッパ部材に、前記係合面に係合して、前記ストッパ部材の前記ヘッド部に接近する方向への移動を規制する係止爪を設けたことを特徴とする。
【０００７】
上記構成においては、前記支持部材と前記ストッパとを円筒状に形成し、該支持部材の外側に前記ストッパ部材を摺動自在に装着するのが好ましい。
【０００８】
上記構成においては、前記係合部と前記係止爪とを、前記ストッパ部材の前記ヘッド部に接近する方向への移動を規制し、該ストッパ部材の前記ヘッド部から離反する方向への移動は許容するラチェットに構成するのが好ましい。
【０００９】
上記構成においては、前記ヘッド部に該ヘッド部の移動方向に対して横向きに突出する吐出ノズルを設け、前記係合部を、前記支持部材の、前記吐出ノズルの突出方向とは反対側を向く部分に配置するのが好ましい。
【発明の効果】
【００１０】
本発明では、ストッパ部材をヘッド部に連結された支持部材に装着し、係止爪を係合部の係合面に係合・離脱させることにより、ストッパ部材を、ヘッド部の押下げ操作を規制する位置と、その規制を解除する解除位置とに移動させる構成としたので、ストッパ部材を容器用吐出器と一体化させて、その紛失を防止することができる。また、係止爪を係合面から離脱させてストッパ部材をヘッド部に対して接近・離反させる方向に移動させることにより、ヘッド部の押下げ操作の規制と解除とを容易に切り替えることができる。さらに、係止爪を係合部に設けられた複数の係合面のうちの任意の係合面に係合させることにより、ストッパ部材を支持部材の任意の位置に係止させることができるので、ヘッド部の押し下げストロークを多段階に調整して、ヘッド部を押下げ操作したときに吐出される内容物の吐出量を所要に応じて変えることができる。
【００１１】
本発明では、支持部材とストッパとを円筒状に形成し、該支持部材の外側にストッパ部材を摺動自在に装着するようにしたので、ストッパ部材を支持部材に確実に支持させることができる。したがって、ストッパ部材の支持部材に対する移動を滑らかにし、また、ストッパ部材によりヘッド部の押下げ操作を確実に規制することができる。
【００１２】
本発明では、係合部と係止爪とを、ストッパ部材のヘッド部に接近する方向への移動を規制し、ストッパ部材のヘッド部から離反する方向への移動は許容するラチェットに構成するようにしたので、係止爪を係合面から離脱させる操作をすることなく、ストッパ部材を装着部側に向けて移動させることができる。したがって、ヘッド部の押下げ操作を規制する位置へのストッパ部材の切替え操作を容易にすることができる。
【００１３】
本発明では、ヘッド部に該ヘッド部の移動方向に対して横向きに突出する吐出ノズルを設け、係合部を、支持部材の、吐出ノズルの突出方向とは反対側を向く部分に配置するようにしたので、係止爪を係合面から離脱させる操作を行う際に、吐出ノズルが当該操作の邪魔にならないようにして、当該操作を容易にすることができる。
【図面の簡単な説明】
【００１４】
【図１】本発明の一実施の形態である容器用吐出器の断面図である。
【図２】図１に示すヘッド部の平面図である。
【図３】図１に示す係合部の正面図である。
【図４】図１におけるＡ部の拡大図である。
【図５】ストッパ部材によりヘッド部の押下げ操作を規制した状態を示す図である。
【図６】ストッパ部材を解除操作している状態を示す図である。
【図７】ストッパ部材をフルストローク位置とした状態を示す図である。
【発明を実施するための形態】
【００１５】
以下、図面を参照して、本発明の一実施の形態を詳細に説明する。
【００１６】
図１に示す本発明の一実施の形態である容器用吐出器（以下、吐出器とする）１０は、装着キャップ（装着部）１１と、この装着キャップ１１に取り付けられたポンプＰとを備えている。吐出器１０は、容器１２に取り付けられ、容器１２とともにポンプ容器１３を構成する。この容器１２としては、例えば、シャンプーやリンス、整髪料等の内容物を収容するものを用いることができ、吐出器１０は容器１２の内部から内容物を外部に吐出することができる。
【００１７】
装着キャップ１１は円筒状の側壁１１ａと天壁１１ｂとを備えた底付き円筒状に形成され、容器１２の口部１２ａにねじ結合により装着（固定）される。装着キャップ１１が口部１２ａに装着されることにより吐出器１０は容器１２に固定され、また容器１２の口部１２ａが装着キャップ１１により閉塞される。なお、装着キャップ１１は、ねじ結合に限らず、例えばアンダーカット係合等の他の手段により口部１２ａに装着される構成とすることもできる。
【００１８】
ポンプＰは、ポンプ本体１４、軸部１５およびヘッド部１６を備えている。
【００１９】
ポンプ本体１４は装着キャップ１１に保持されており、装着キャップ１１が口部１２ａに装着されると、容器１２の内部に配置される。ポンプ本体１４は、内容物を圧送するための小径シリンダ室１４ａと、空気を圧送するための大径シリンダ室１４ｂとを備えたフォーマータイプとなっている。小径シリンダ室１４ａには小径ピストン１４ｃが配置され、大径シリンダ室１４ｂには大径ピストン１４ｄが配置されており、これらのピストン１４ｃ，１４ｄはそれぞれステム１７に連結されている。
【００２０】
軸部１５は軸心に流路１５ａが設けられた棒状に形成されており、その一端においてステム１７に連結されている。軸部１５の流路１５ａはステム１７を介して小径シリンダ室１４ａに接続されるとともに軸部１５とステム１７との接続部分に設けられた流路１９を介して大径シリンダ室１４ｂにも接続されている。また、小径シリンダ室１４ａには、容器１２の底まで延びる吸入パイプ１８が固定されている。装着キャップ１１の天壁１１ｂの軸心には貫通孔１１ｃが設けられ、軸部１５はこの貫通孔１１ｃを介して装着キャップ１１の外部に突出している。また、装着キャップ１１の天壁１１ｂの軸心には円筒状の支持筒部２０が一体に設けられ、軸部１５は支持筒部２０の内側に挿通され、軸方向に移動自在に支持されている。
【００２１】
ヘッド部１６は軸部１５の上端に連結されている。図示する場合では、ヘッド部１６は軸部１５と一体に樹脂材料により形成されているが、ヘッド部１６を軸部１５と別体に形成し、軸部１５に固定する構成とすることもできる。図２に示すように、ヘッド部１６は円盤状となっており、その軸心において軸部１５に連結されている。ヘッド部１６には軸部１５の軸方向に対して垂直な方向に向けて突出する吐出ノズル２１が一体に設けられ、この吐出ノズル２１と軸部１５の流路１５ａとがヘッド部１６の内部に設けられた吐出流路１６ａにより接続されている。
【００２２】
ヘッド部１６を装着キャップ１１の側に向けて押し下げると、軸部１５により各ピストン１４ｃ，１４ｄが下方に向けて押されてポンプＰが吐出動作する。ポンプＰが吐出動作すると、容器１２に収容された内容物が吸入パイプ１８と小径シリンダ室１４ａとを介して流路１５ａに圧送されるとともに、大径シリンダ室１４ｂから流路１５ａに空気が圧送されて、流路１５ａにおいてこれらが混合される。また、軸部１５にはメッシュＭが設けられており、内容物と空気との混合物がメッシュＭを通過することにより、内容物は泡状とされ、流路１５ａから吐出流路１６ａを通って吐出ノズル２１から外部に吐出される。このように、ヘッド部１６を押下げ操作することにより、容器１２に収容された内容物を外部に吐出することができる。ヘッド部１６の押下げ操作を解除すると、シリンダ室１４ａに配置されたスプリング２２によりピストン１４ｃ，１４ｄが上方に押され、これによりヘッド部１６は初期位置に復帰する。
【００２３】
図１に示すように、この吐出器１０は、ヘッド部１６の押下げ操作を規制する、つまりヘッド部１６を押下げ操作できないようにするためのストッパ部材２３を備えている。
【００２４】
ヘッド部１６には支持部材２４が連結され、ストッパ部材２３はこの支持部材２４に装着されている。支持部材２４は軸部１５と同軸の円筒状に形成され、ヘッド部１６の下面に連結されて、当該下面から装着キャップ１１の側に向けて突出している。図示する場合では、支持部材２４はヘッド部１６と一体に樹脂材料で形成されることによりヘッド部１６に連結されているが、支持部材２４をヘッド部１６と別体に形成し、接着やアンダーカット等の固定手段を用いてヘッド部１６に連結する構成とすることもできる。
【００２５】
ストッパ部材２３は樹脂材料により支持部材２４の外径よりも僅かに大きい内径を有する円筒状に形成され、支持部材２４の外側に装着されている。ストッパ部材２３は、その内周面において支持部材２４の外周面に摺接しており、支持部材２４の外周面に案内されてヘッド部１６に対して接近・離反する方向に相対移動することができるようになっている。つまり、ストッパ部材２３は、支持部材２４に対して、ヘッド部１６の移動方向に沿って相対移動することができる。
【００２６】
ストッパ部材２３が、ヘッド部１６に接近する方向へ移動することを規制するために、ストッパ部材２３と支持部材２４との間には係止機構２５が設けられている。この係止機構２５は、支持部材２４に設けられる係合部２６と、ストッパ部材２３に設けられる係止爪２７とを有している。
【００２７】
図３に示すように、支持部材２４の側面には、その外周面に対して凹んだ凹部２４ａが設けられている。凹部２４ａは、支持部材２４の軸方向に沿ってその外周面の上端から下端にまで延びており、この凹部２４ａの内部に係合部２６が設けられている。本実施の形態においては、凹部２４ａは、支持部材２４の外周面の、吐出ノズル２１が突出する方向（図１中左側）とは反対側（図１中右側）を向く部分に設けられている。なお、便宜上、図３においては、特定の突起２８にのみ符号を付している。
【００２８】
係合部２６は複数の突起２８を備え、これらの突起２８は凹部２４ａの内部に、支持部材２４の軸方向つまり支持部材２４に対するストッパ部材２３の移動方向に沿って等間隔に並べて配置されている。図４に示すように、各突起２８は、それぞれ断面三角形状であるとともに支持部材２４の軸方向に直交する方向に平行に延びる形状に形成され、その装着キャップ１１の側を向く面はストッパ部材２３の移動方向に対して垂直な係合面２８ａとなっている。
【００２９】
一方、図１に示すように、ストッパ部材２３には係止片２９が一体に設けられている。この係止片２９は、支持部材２４の軸方向に直交する方向に平行なヒンジ３０によりストッパ部材２３に連結され、このヒンジ３０を中心として支持部材２４に接近・離反する方向に回動自在となっている。この係止片２９は、例えば、ストッパ部材２３にヘッド部１６の側を向く上端縁から軸方向に沿って延びる一対の平行なスリットを設け、これらのスリットの間の部分として設けることができる。
【００３０】
係止爪２７は、ストッパ部材２３に設けられた係止片２９の先端の、支持部材２４の側を向く内周面に一体に設けられている。図４に示すように、この係止爪２７は、係合部２６の突起２８とは上下反対向きとなる断面三角形状に形成され、そのヘッド部１６の側を向く面はストッパ部材２３の移動方向に対して垂直な係止面２７ａとなっている。係止爪２７は、その係止面２７ａにおいて係合部２６の突起２８の係合面２８ａに係合する。これにより、ストッパ部材２３のヘッド部１６に接近する方向への移動が係止機構２５により規制され、ヘッド部１６は押下げ操作できない状態とされる。
【００３１】
なお、係止爪２７は支持部材２４の凹部２４ａの内部において突起２８の係合面２８ａに係合するので、係止爪２７が凹部２４ａの内壁に案内されて、ストッパ部材２３は支持部材２４に対して回り止めされる。なお、ストッパ部材２３の支持部材２４に対する回り止めを別途設ける構成とすることもできる。
【００３２】
係止片２９の外周面には摘み片３１が一体に設けられ、この摘み片３１に対応した補助摘み片３２がヒンジ３０の下方においてストッパ部材２３の外周面に一体に設けられている。摘み片３１と補助摘み片３２は互いに平行な板状に形成されており、摘み片３１を補助摘み片３２に向けて押し下げることにより、ヒンジ３０を中心として係止片２９を外側に回動させて、係止爪２７を突起２８の係合面２８ａから離脱させることができる。係止爪２７が突起２８の係合面２８ａから離脱すると、ストッパ部材２３の移動の規制が解除され、ストッパ部材２３をヘッド部１６に接近する方向に移動させることができる。
【００３３】
一方、図４に示すように、突起２８のヘッド部１６の側を向く面は、それぞれストッパ部材２３の移動方向に対して傾斜した傾斜面２８ｂとなっており、係止爪２７の装着キャップ１１の側を向く面も当該移動方向に対して傾斜した傾斜面２７ｂとなっている。したがって、ストッパ部材２３をヘッド部１６から離間する方向へ移動させる際には、係止爪２７の傾斜面２７ｂは、係止片２９を外側に弾性変形させながら突起２８の傾斜面２８ｂを乗り越えることができる。つまり、係合部２６と係止爪２７は、ストッパ部材２３のヘッド部１６に接近する方向への移動は規制するが、ストッパ部材２３のヘッド部１６から離反する方向への移動は許容するラチェットに構成されている。したがって、ストッパ部材２３を装着キャップ１１に接近する方向に向けて移動させる際には、係止片２９の操作をすることなく、ストッパ部材２３を当該方向に移動させることができる。この移動の際にストッパ部材２３と支持部材２４との間に生じる抵抗力は、スプリング２２の付勢力を越えない値に設定されるのが好ましい。なお、ラチェットとは動作方向を一方に制限するために用いられる機構のことである。
【００３４】
このような構成により、支持部材２４に装着したストッパ部材２３を、支持部材２４に対してヘッド部１６に接近・離反する方向に相対移動させるとともに係止機構２５により当該位置に保持することができる。
【００３５】
図５に示すように、ストッパ部材２３を支持部材２４に対して下方側のストローク端に移動させ、係止機構２５により当該位置に保持することにより、自然状態つまりヘッド部１６を押下げ操作していない状態において、ストッパ部材２３の下端を装着キャップ１１の天壁１１ｂに当接させることができる。この状態では、ストッパ部材２３はストッパ位置となり、ヘッド部１６を装着キャップ１１に支持させるので、ヘッド部１６の装着キャップ１１の側へ向けた移動つまりヘッド部１６の押下げ操作が規制される。したがって、ストッパ部材２３をストッパ位置とすることにより、ヘッド部１６を押下げ操作できない状態とすることができる。
【００３６】
装着キャップ１１の天壁１１ｂにはヘッド部１６の側に向けて突出する円形の台座部３３が設けられ、ストッパ位置とされたストッパ部材２３の内周面が台座部３３の外周面に係合する。これにより、運搬時等におけるストッパ部材２３の振動を防止することができる。
【００３７】
ストッパ部材２３によるヘッド部１６の押下げ操作の規制を解除する際には、図６に示すように、摘み片３１と補助摘み片３２とを指で挟むように掴んで、ヒンジ３０を中心として係止片２９を外側に回動させ、係止爪２７を突起２８の係合面２８ａから離脱させる。そして、摘み片３１と補助摘み片３２とを掴んだままストッパ部材２３をヘッド部１６に接近させる方向へ移動させることができる。
【００３８】
図７に示すように、ストッパ部材２３を最もヘッド部１６に接近したフルストローク位置にまで移動させ、摘み片３１，３２から手を離すと、係止片２９がその弾性変形により初期位置に復帰し、係止爪２７が係合部２６の最も上側の突起２８の係合面２８ａに係合して、ストッパ部材２３は当該位置に保持される。ストッパ部材２３のフルストローク位置は、ストッパ部材２３が装着キャップ１１から離れてヘッド部１６の押下げ操作の規制が解除された解除位置である。ストッパ部材２３がフルストローク位置に保持された状態では、ヘッド部１６を装着キャップ１１に向けて押下げ操作することにより、ポンプＰを吐出動作させて容器１２に収容された内容物を吐出ノズル２１から外部に吐出させることができる。
【００３９】
このように、本発明では、支持部材２４に装着したストッパ部材２３によりヘッド部１６の押下げ操作を規制するとともに、係止機構２５の操作によりストッパ部材２３を移動させて当該規制を解除できる構成としたので、ストッパ部材２３を吐出器１０と一体の構成として、当該ストッパ部材２３の紛失を防止することができる。
【００４０】
また、本発明では、ストッパ部材２３と支持部材２４とを円筒状に形成し、支持部材２４の外側にストッパ部材２３を摺動自在に装着するようにしたので、ストッパ部材２３を支持部材２４に確実に支持させることができる。これにより、ストッパ部材２３の支持部材２４に対する移動を滑らかにすることができ、また、ストッパ部材２３にヘッド部１６の押下げ操作を確実に規制させることができる。
【００４１】
図７に示すように、ストッパ部材２３をフルストローク位置に保持させた状態では、ヘッド部１６をフルストロークで、つまり最も押下げ量が多くなるように作動させることができる。
【００４２】
これに対して、例えば図６に示すようなストッパ位置とフルストローク位置との間の任意の位置でストッパ部材２３を支持部材２４に保持させることもできる。つまり、ストッパ部材２３に設けられた係止爪２７を、支持部材２４に設けられた係合部２６の任意の突起２８の係合面２８ａに係止させることにより、ストッパ部材２３をストッパ位置とフルストローク位置との間の任意の位置で支持部材２４に保持させることができる。ストッパ部材２３をストッパ位置とフルストローク位置との間の任意の位置で支持部材２４に保持させることにより、自然状態におけるストッパ部材２３の下端と装着キャップ１１との間隔を任意に設定して、ヘッド部１６の押下げストロークを多段階に調整することができる。本実施の形態においては、係合部２６には、ストッパ位置に対応する突起２８以外に９個の突起２８が設けられているので、フルストロークを含めて９段階にヘッド部１６の押下げストロークを調整することができる。
【００４３】
このように、本発明では、ストッパ部材２３を支持部材２４の任意の位置に係止させることができるので、ヘッド部１６の押し下げストロークを多段階に調整して、ヘッド部１６を押下げ操作したときに吐出ノズル２１から吐出される内容物の吐出量を所要に応じて変えることができる。
【００４４】
また、本発明では、係合部２６を、支持部材２４の、吐出ノズル２１の突出方向とは反対側を向く部分に配置するようにしたので、ストッパ部材２３を移動させて吐出量を調整し、または吐出の規制、解除を行う際に、係止片２９の操作に対して、吐出ノズル２１が邪魔にならず、当該操作は容易である。
【００４５】
容器１２から内容物を吐出した後には、再度ストッパ部材２３をストッパ位置にまで移動させて、ヘッド部１６の押下げ操作を規制することができる。このとき、係止機構２５はラチェットに構成されているので、係止片２９を操作することなく、ストッパ部材２３を下方に向けて押し下げるだけの簡単な操作で、ストッパ部材２３をストッパ位置に移動させることができる。
【００４６】
本発明は前記実施の形態に限定されるものではなく、その要旨を逸脱しない範囲で種々変更可能であることはいうまでもない。
【００４７】
例えば、前記実施の形態においては、係合部２６には１０個の突起２８（係合面２８ａ）を設けるようにしているが、これに限らず、係合部２６に設ける突起２８の数は任意に設定することができる。
【００４８】
また、前記実施の形態においては、支持部材２４に設けた突起２８の一面を係合面２８ａとしているが、支持部材２４にストッパ部材２３の移動方向に並べて複数の凹み部分を設け、この凹み部分の内面を係合面としてもよい。
【００４９】
さらに、前記実施の形態においては、ストッパ部材２３と支持部材２４とを円筒状に形成しているが、これに限らず、支持部材２４にストッパ部材２３を相対移動自在に装着できる構成であれば、例えばストッパ部材２３と支持部材２４とを角形断面の筒状に形成したり、これらを断面Ｃ字形に形成したりするなど、他の形状とすることもできる。
【００５０】
さらに、前記実施の形態においては、係合部２６と係止爪２７とをラチェットに構成しているが、これに限らず、例えば、突起２８と係止爪２７とを共に断面矩形に形成するなどして、ストッパ部材２３のヘッド部１６に接近・離反する何れの方向への移動を規制する構成としてもよい。
【００５１】
さらに、前記実施の形態においては、ポンプＰとしてフォーマータイプのものを用いているが、これに限らず、ヘッド部１６を装着キャップ１１に向けて押し下げることにより内容物が吐出される構成のものであれば、他の構成のポンプを用いることもできる。
【００５２】
さらに、前記実施の形態においては、係止片２９の操作のために摘み片３１と補助摘み片３２とを設けているが、摘み片３１のみを設ける構成としてもよい。また、摘み片３１の形状は図示するものに限らず、係止片２９を操作することができるものであれば、種々の形状とすることができる。
【符号の説明】
【００５３】
１０    容器用吐出器
１１    装着キャップ（装着部）
１１ａ  側壁
１１ｂ  天壁
１１ｃ  貫通孔
１２    容器
１２ａ  口部
１３    ポンプ容器
１４    ポンプ本体
１４ａ  小径シリンダ室
１４ｂ  大径シリンダ室
１４ｂ  ピストン
１４ｃ  小径ピストン
１４ｄ  大径ピストン
１５    軸部
１５ａ  流路
１６    ヘッド部
１６ａ  吐出流路
１７    ステム
１８    吸入パイプ
１９    流路
２０    支持筒部
２０ａ  仮保持片
２１    吐出ノズル
２２    スプリング
２３    ストッパ部材
２４    支持部材
２４ａ  凹部
２５    係止機構
２６    係合部
２７    係止爪
２７ａ  係止面
２７ｂ  傾斜面
２８    突起
２８ａ  係合面
２８ｂ  傾斜面
２９    係止片
３０    ヒンジ
３１    摘み片
３２    補助摘み片
３３    台座部
Ｐ    ポンプ
Ｍ    メッシュ
【図１】
2014129129.tif 000003
【図２】
2014129129.tif 000004
【図３】
2014129129.tif 000005
【図４】
2014129129.tif 000006
【図５】
2014129129.tif 000007
【図６】
2014129129.tif 000008
【図７】
2014129129.tif 000009